(57)【要約】      （修正有）【課題】蓋の開封後、蓋をワンプッシュで簡易にロックする再封機能付き包装用箱を提供する。【解決手段】箱Ｂの再封機能２０は、外蓋２１の一部に略円弧形状に切り込み線２１０を付けて形成され、先端に係止爪２１１を有し、指先のプッシュにより傾動可能な可動部２１２と、内蓋２２に外蓋２１の可動部２１２に対応して形成され、可動部２１２の傾動を許容する開口部、及びこの開口部の縁部に設けられ、係止爪２１１に係合可能なストッパー２２２とを備え、外蓋２１の可動部２１２をプッシュすることにより係止爪２１１を内蓋２２のストッパー２２２に係止し、蓋２をロックする形式を採る。【選択図】図１
0003200697.tif 000002
【実用新案登録請求の範囲】
【請求項１】
箱の開口を封止する蓋を開封した後、前記開口を前記蓋で再封する形式の再封機能付き包装用箱において、
前記蓋は外蓋と内蓋とからなり、
前記再封機能は、
前記外蓋の一部に略円弧形状又は略Ｕ字形状又は略コ字形状に切り込み線を付けて形成され、先端に係止爪を有し、指先のプッシュにより傾動可能な可動部と、
前記内蓋に前記外蓋の可動部に対応して形成され、前記可動部の傾動を許容する開口部、及び前記開口部の縁部に設けられ、前記係止爪に係合可能なストッパーと、
を備えて構成され、
箱の開口の再封に際し、
前記箱の開口を前記外蓋と前記内蓋とにより閉じ、
前記外蓋の可動部を前記内蓋側に向けてプッシュし傾動させることにより、前記係止爪をその撓み変形により前記内蓋のストッパーの外面から内面に係合切り替えして前記ストッパーに係止し、前記外蓋と前記内蓋とをロックする形式を採る、
ことを特徴とする再封機能付き包装用箱。
【請求項２】
内蓋の開口部は前記内蓋の一部に所定の開口形状に切り取り線を付けられて、前記切り取り線内の部分を切り離すことにより形成される請求項１に記載の再封機能付き包装用箱。
【請求項３】
蓋の封止時は、外蓋の可動部と内蓋の切り取り線内の部分が糊を介して接着されて前記外蓋と前記内蓋が接合され、蓋の開封時に、前記内蓋に対して前記外蓋を引き離すことにより、前記内蓋から前記切り取り線内の部分が切り離されて前記内蓋に開口部が形成され、前記内蓋から切り離された前記切り取り線内の部分は前記外蓋の可動部に固定されて係止爪及び可動部の補強部をなす請求項２に記載の再封機能付き包装用箱。
【請求項４】
内蓋の切り取り線内の部分は係止爪の両側縁部と交差する位置にそれぞれ、前記係止爪の傾動を許容する切り込み部を有する請求項３に記載の再封機能付き包装用箱。
【請求項５】
外蓋の係止爪は先端縁部が内蓋のストッパーの開口部内縁部に対して摺接可能に形成され、前記係止爪の先端縁部と前記ストッパーの前記開口部内縁部との間で摺接音を係合音として発生させる請求項１乃至４のいずれかに記載の再封機能付き包装用箱。
【考案の詳細な説明】
【技術分野】
【０００１】
本考案は、医薬品などの物品を包装するのに使用する包装用箱に関し、特に、箱の開口を封止する蓋を開封した後、箱の開口を開封後の蓋で再封する形式の再封機能付き包装用箱に関する。
【背景技術】
【０００２】
一般に医薬品などの包装用箱は、医薬品が収納された状態で、外蓋が内蓋に糊付けされたり蓋の一部が箱本体の側面に糊付けされたりして封止されており、箱を開封する際は、蓋の糊付けされた部分を破って、蓋を開けるようになっている。
このとき、包装用箱から医薬品を取り出して箱は廃棄してしまうような場合には特に問題とならないが、医薬品を箱に収納したまま箱ごと保管棚などに保管し、必要に応じて、箱から医薬品を必要な数だけ取り出していくような場合は、蓋が開いたままで箱の開口上に浮いた状態になっているよりも、蓋はきちんと閉じられ、この状態が保持されることが望ましい。そこで、箱の開口を開封後の蓋で閉じこの状態を保持するための再封機能が必要となる。
【０００３】
この種の再封機能付きの包装用箱が特許文献１、２などにより提案されている。
特許文献１の包装用箱は、蓋の先端に凸状に挿入片を有し、箱本体の側面に切れ目が形成されて、蓋が閉じられた状態で、挿入片が箱本体の切れ目に挿入係合されて、蓋の閉状態を保持するようになっている。
特許文献２の包装用箱は、蓋の先端に差し込み片を有するとともに蓋と差し込み片との間に係止用スリットが形成され、箱本体の側面上部に係止用フラップが設けられて、蓋が閉じられ、先端の差し込み片が箱本体の側面内面側に差し込まれた状態で、箱本体の係止用フラップが蓋の係止用スリットに差し込まれて、蓋の閉状態を保持するようになっている。
【先行技術文献】
【特許文献】
【０００４】
【特許文献１】実用新案登録第３０６９９５０号公報
【特許文献２】実用新案登録第３１５０９７０号公報
【考案の概要】
【考案が解決しようとする課題】
【０００５】
しかしながら、上記各従来の包装用箱の再封機能では次のような問題がある。
（１）特許文献１の包装用箱のように蓋先端の挿入片を箱本体の切れ目に挿入係合させる形式では、挿入片と切れ目とを係合可能に位置合わせする必要があり、この手間が煩わしく、挿入片を切れ目に容易に差し込むことができない。
（２）特許文献２の包装用箱のように蓋先端の差し込み片を箱本体の側面内面側に差し込む形式では、差し込み片を箱本体の側面内面に沿って合わせなければならず、この手間が煩わしく、差し込み片を箱本体に容易に差し込むことができない。また、この箱の場合、さらに箱本体の係止用フラップを蓋の係止用スリットに差し込むので、この手間も同様に煩わしく容易ではない。
【０００６】
本考案は、このような従来の問題を解決するものであり、この種の再封機能付き包装用箱において、箱の開口を開封後の蓋で閉じこの蓋をワンプッシュでロックできるようにして、箱の開口を開封後の蓋で簡易に再封できるようにすることなど、を目的とする。
【課題を解決するための手段】
【０００７】
上記目的を達成するために、本考案は、
箱の開口を封止する蓋を開封した後、前記開口を前記蓋で再封する形式の再封機能付き包装用箱において、
前記蓋は外蓋と内蓋とからなり、
前記再封機能は、
前記外蓋の一部に略円弧形状又は略Ｕ字形状又は略コ字形状に切り込み線を付けて形成され、先端に係止爪を有し、指先のプッシュにより傾動可能な可動部と、
前記内蓋に前記外蓋の可動部に対応して形成され、前記可動部の傾動を許容する開口部、及び前記開口部の縁部に設けられ、前記係止爪に係合可能なストッパーと、
を備えて構成され、
箱の開口の再封に際し、
前記箱の開口を前記外蓋と前記内蓋とにより閉じ、
前記外蓋の可動部を前記内蓋側に向けてプッシュし傾動させることにより、前記係止爪をその撓み変形により前記内蓋のストッパーの外面から内面に係合切り替えして前記ストッパーに係止し、前記外蓋と前記内蓋とをロックする形式を採る、
ことを要旨とする。
また、この包装用箱は、さらに次のような構成を備えることが好ましい。
（１）内蓋の開口部は前記内蓋の一部に所定の開口形状に切り取り線を付けられて、前記切り取り線内の部分を切り離すことにより形成される。
（２）蓋の封止時は、外蓋の可動部と内蓋の切り取り線内の部分が糊を介して接着されて前記外蓋と前記内蓋が接合され、蓋の開封時に、前記内蓋に対して前記外蓋を引き離すことにより、前記内蓋から前記切り取り線内の部分が切り離されて前記内蓋に開口部が形成され、前記内蓋から切り離された前記切り取り線内の部分は前記外蓋の可動部に固定されて係止爪及び可動部の補強部をなす。
（３）内蓋の切り取り線内の部分は係止爪の両側縁部と交差する位置にそれぞれ、前記係止爪の傾動を許容する切り込み部を有する。
（４）外蓋の係止爪は先端縁部が内蓋のストッパーの開口部内縁部に対して摺接可能に形成され、前記係止爪の先端縁部と前記ストッパーの前記開口部内縁部との間で摺接音を係合音として発生させる。
【考案の効果】
【０００８】
本考案の再封機能付き包装用箱によれば、箱の開口の再封に際し、箱の開口を外蓋と内蓋とにより閉じ、外蓋の可動部を内蓋側に向けてプッシュし傾動させることにより、係止爪をその撓み変形により内蓋のストッパーの外面から内面に係合切り替えしてストッパーに係止し、外蓋と内蓋とをロックするようにしたので、箱の開口を開封後の蓋で閉じてこの蓋をワンプッシュでロックすることができ、箱の開口を開封後の蓋で簡易に再封することができる、という本考案独自の格別な効果を奏する。
【図面の簡単な説明】
【０００９】
【図１】本考案の一実施の形態における再封機能付き包装用箱の開封前の状態を示す斜視図
【図２】同包装用箱の特に蓋の組み立て前の状態を示す斜視図
【図３】同包装用箱の開封後の状態を示す斜視図
【図４】同包装用箱の組み立て前の紙基材を示す平面図（展開図）
【図５】同包装用箱の特に蓋のロック状態を示す要部拡大図
【考案を実施するための形態】
【００１０】
次に、この考案を実施するための形態について図を用いて説明する。なお、この実施の形態では、医薬品を包装するのに使用する再封機能付き包装用箱を例示している。
【００１１】
図１、図２に示すように、再封機能付き包装用箱Ｂ（この実施の形態の説明において、単に包装用箱Ｂ、箱Ｂと称することがある。）は、箱Ｂの開口１０を封止する蓋２を開封した後、開口１０を蓋２で再封する形式のもので、この包装用箱Ｂでは、特に、蓋２が外蓋２１と内蓋２２とからなり、再封機能２０は、外蓋２１の一部に略円弧形状に切り込み線２１０を付けて形成され、先端に係止爪２１１を有し、指先のプッシュにより傾動可能な可動部２１２と、内蓋２２に外蓋２１の可動部２１２に対応して形成され、可動部２１２の傾動を許容する開口部２２１、及び開口部２２１の縁部に設けられ、係止爪２１１に係合可能なストッパー２２２とを備えて構成される。
【００１２】
この包装用箱Ｂは、箱本体１と、箱本体１の両端開口１０を封じる蓋２とを備える。この場合、箱本体１は左右に長い長方形の４側面、すなわち、連結部１１１（図４参照）を含む正面１１、下面１２、背面１３、上面１４からなり、全体として横長の直方体状に形成される。箱本体１の左右の各蓋２は相互に対称的で、箱本体１の左右の各開口１０において相互に対向する一方の組みの縁部、すなわち、４側面のうちの相互に対向する正面１１、背面１３の端縁部から大きい略台形状に延び、開口１０を閉塞可能な内蓋２２及び外蓋２１と、相互に対向する他方の組みの縁部、すなわち、４側面のうちの相互に対向する上面１４、下面１２の端縁部から小さい略台形状に延び、開口１０を閉塞可能な上フラップ１５及び下フラップ１６とからなる。
【００１３】
再封機能２０はこの箱Ｂの一方の蓋２、この場合、右側一方の外蓋２１と内蓋２２との間に構成される。
この場合、右側の外蓋２１には、図１、図２に示すように、先端側でかつ幅方向（箱Ｂの使用状態では高さ方向）中間の所定の位置に切り込み線２１０が外蓋２１の先端に向けて凸状（膨出する状態）に外蓋２１の幅方向に向けて延びる略円弧形状に形成され、両端部が当該円弧形状とは逆向きに当該円弧形状よりも小さい略円弧状に形成されて、この円弧形状の切り込み線２１０とこの切り込み線２１０の両端部を結ぶ仮想線ＶＬ１で囲まれる弓形の部分が指先の押圧で傾動可能な可動部２１２で、この可動部２１２の円弧先端を含む先端側の中央の縁部で小さい弓形の範囲が係止爪２１１になっている。また、この場合、係止爪２１１は先端縁部２１１Ｅが後述する内蓋２２のストッパー２２２の開口部内縁部（開口部２２０内に臨む縁部）２２２Ｅに対して摺接可能に形成され、係止爪２１１の先端縁部２１１Ｅとストッパー２２２の開口部内縁部２２２Ｅとの間で摺接音（「チッ」という音）を係合音として発生させるようにしてある。
また、右側の内蓋２２には、図２に示すように、基端側（箱本体１の正面１１の端縁部側）でかつ幅方向（箱Ｂの使用状態では高さ方向）中間の所定の位置に開口部２２１が形成され、この開口部２２１の内周縁部のうち内蓋２２基端側の縁部（言い換えれば、内蓋２２の基端と開口部２２１との間の部分）が外蓋２１の可動部２１２の係止爪２１１が係合可能なストッパー２２２になっている。この場合、開口部２２１は内蓋２２の一部に所定の開口形状に、ここでは略長方形状に切り取り線２２０を付けられて、この切り取り線２２０内の略長方形の部分２２０Ｐを切り離すことにより開口されて形成され（図３参照）、この開口部２２１が開口されることによりこの開口部２２１の内蓋２２基部側の縁部にストッパー２２２が形成される。そして、蓋２を封止するときは、外蓋２１の可動部２１２と内蓋２２の切り取り線内の部分２２０Ｐが糊（ホットメルト）を介して接着されて外蓋２１と内蓋２２が接合され、蓋２を開封するときは、内蓋２２に対して外蓋２１を引き離すことにより、図３に示すように、内蓋２２から切り取り線内の部分２２０Ｐが切り離されて内蓋２２に開口部２２１がストッパー２２２とともに形成され、内蓋２２から切り離された切り取り線内の部分２２０Ｐは外蓋２１の可動部２１２に固定されて係止爪２１１及び可動部２１２の補強部となる。また、この場合、内蓋２２の切り取り線内の部分２２０Ｐで（箱Ｂの開口１０を外蓋２１及び内蓋２２で閉じた際に）係止爪２１１の両側縁部と交差する位置にはそれぞれ、可動部２１２の押圧による係止爪２１１の傾動を許容するための切り込み部２２０Ｓが併せて形成される。
【００１４】
なお、箱Ｂには、この箱Ｂを廃棄するときに、箱Ｂが折り畳みやすくなるように、左側の蓋２を切り離すための破断線Ｃ１が併せて設けられる。この場合、破断線Ｃ１は箱本体１の正面１１の左側縁部の中央に略半円状に、その両端から外側方向に左側縁部に沿って直線状に形成される。
【００１５】
このようにしてこの包装用箱Ｂでは、箱Ｂの右側の開口１０の再封に際し、箱Ｂの開口１０を外蓋２１と内蓋２２とにより閉じ、外蓋２１の可動部２１２を内蓋２２側に向けてプッシュし傾動させることにより、外蓋２１の係止爪２１１をその撓み変形により内蓋２２のストッパー２２２の外面から内面に係合切り替えしてストッパー２２２に係止し、外蓋２１と内蓋２２とをロックする形式を採る。
【００１６】
この再封機能付き包装用箱Ｂは、一枚のブランクシートから一体的に打ち抜かれて形成された一枚の紙基材（Ｐ）からなり、この紙基材（Ｐ）は各部が順次折り曲げられ、所定の各接着位置が接着固定されて組み立てられる。
【００１７】
図４にこの紙基材Ｐを示している。なお、この図４には紙基材Ｐの表面（組み立て後に表側となる面）が現れている。
図４に示すように、この紙基材Ｐは、全体が左右方向に長い直方体形状に組み立て可能に、直方体形状に組み立て後の状態で、上縁部に連結部１１１を有する正面１１、下面１２、背面１３、上面１４をなす相互に折り曲げ線Ｌ１−Ｌ４を介して連接して形成される４側面形状部Ｐ１１−Ｐ１４（連結部形状部Ｐ１１１を有する正面形状部Ｐ１１、下面形状部Ｐ１２、背面形状部Ｐ１３、上面形状部Ｐ１４）と、下面形状部Ｐ１２及び上面形状部Ｐ１４の左右方向の両端にそれぞれ折り曲げ線Ｌ５，Ｌ６及びＬ７，Ｌ８を介して形成され、直方体形状に組み立て後の状態で左側の下フラップ１６、右側の下フラップ１６及び左側の上フラップ１５、右側の上フラップ１５をなす左側の下フラップ形状部Ｐ１６、右側の下フラップ形状部Ｐ１６及び左側の上フラップ形状部Ｐ１５、右側の上フラップ形状部Ｐ１５と、正面形状部Ｐ１１の左右方向の両端にそれぞれ折り曲げ線Ｌ９，Ｌ１０を介して形成され、直方体形状に組み立て後の状態で左側の内蓋２２をなす左側の内蓋形状部Ｐ２２、右側の内蓋２２をなす右側の内蓋形状部Ｐ２２と、背面形状部Ｐ１３の左右方向の両端にそれぞれ折り曲げ線Ｌ１１，Ｌ１２を介して形成され、直方体形状に組み立て後の状態で左側の外蓋２１をなす左側の外蓋形状部Ｐ２１、右側の外蓋２１をなす右側の外蓋形状部Ｐ２１と、を有する。
この場合、連結部形状部Ｐ１１１は左右に細長い台形に形成され、４側面形状部Ｐ１１−Ｐ１４はそれぞれ左右に長い長方形に形成され、正面形状部Ｐ１１、背面形状部Ｐ１３（の上下方向の高さ）がそれぞれ下面形状部Ｐ１２、上面形状部Ｐ１４（の前後方向の長さ）よりも少し大きく形成される。左側の下フラップ形状部Ｐ１６、右側の下フラップ形状部Ｐ１６、左側の上フラップ形状部Ｐ１５、右側の上フラップ形状部Ｐ１５はそれぞれ略台形に形成され、左側の内蓋形状部Ｐ２２、右側の内蓋形状部Ｐ２２はそれぞれ略台形に形成され、左側の外蓋形状部Ｐ２１、右側の外蓋形状部Ｐ２３はそれぞれ略台形状に形成され、左右の各内蓋形状部Ｐ２２、左右の各外蓋形状部Ｐ２１はそれぞれ、各フラップ形状部Ｐ１６、Ｐ１７、Ｐ１８、Ｐ１９よりも大きく形成され、左右の各外蓋形状部Ｐ２１はそれぞれ、左右の各内蓋形状部Ｐ２２よりも少し大きく形成される。
また、この場合、正面形状部Ｐ１１の左端には、この箱Ｂを廃棄するときに、箱Ｂが折り畳みやすくなるように、左側の内蓋形状部Ｐ２２を切り離すための破断線Ｃ１が形成される。この破断線Ｃ１は、折り曲げ線Ｌ９の中央部分で折り曲げ線Ｌ９の内側に略半円形に、その両端から外側方向に折り曲げ線Ｌ９に沿って直線状に形成される。
【００１８】
そして、この紙基材Ｐにおいては、箱Ｂの右側の外蓋２１をなす右側の外蓋形状部Ｐ２１の、先端側でかつ幅方向中間の所定の位置に切り込み線２１０が外蓋形状部Ｐ２１の先端に向けて凸状（膨出する状態）に外蓋形状部Ｐ２１の幅方向に向けて延びる略円弧形状に形成され、両端部がこの円弧形状とは逆向きに当該円弧形状よりも小さい略円弧状に形成されて、当該円弧形状の切り込み線２１０とこの切り込み線２１０の両端部を結ぶ仮想線ＶＬ１で囲まれる弓形の部分が指先の押圧で傾動可能な可動部２１２で、この可動部２１２の円弧先端を含む先端側の中央の縁部で小さい弓形の範囲が係止爪２１１になっている。また、この場合、係止爪２１１の先端縁部２１１Ｅと後述のストッパー２２２の開口部内縁部２２２Ｅとの間で係合音（「チッ」という音）を発生させるため、係止爪２１１の先端縁部２１１Ｅは内蓋形状部Ｐ２２のストッパー２２２の開口部内縁部２２２Ｅに対して摺接可能に形成される。
また、右側の内蓋形状部Ｐ２２には基端側（正面形状部Ｐ１１の端縁部側）でかつ幅方向中間の所定の位置に開口部２２１が形成され、この開口部２２１の内蓋形状部Ｐ２２基端側の縁部、すなわち、内蓋形状部Ｐ２２の基端と開口部２２１との間にストッパー２２２が形成される。この場合、開口部２２１は内蓋形状部Ｐ２２の一部に所定の開口形状に、ここでは略長方形状に切り取り線２２０を付けられて、この切り取り線２２０内の略長方形の部分を切り離すことにより形成され、この開口部２２１の開口により開口部２２１の内蓋形状部Ｐ２２基部側の縁部がストッパー２２２として形成される。また、この場合、内蓋形状部Ｐ２２の切り取り線２２０内の所定の位置（箱Ｂの開口１０を外蓋２１及び内蓋２２で閉じた際に係止爪２１１の両側縁部と交差する位置）にそれぞれ、係止爪２１１の傾動を許容するための切り込み部２２０Ｓが併せて形成される。
【００１９】
このようにしてこの紙基材Ｐは各形状部Ｐ１１−Ｐ１４、Ｐ２１、Ｐ２２が各折り曲げ線Ｌ１−Ｌ１２を介して折り曲げられ、左右方向に長い直方体形状の箱形に組み立てられる。すなわち、正面１１をなす正面形状部Ｐ１１に対して下面形状部Ｐ１２が折り曲げ線Ｌ２を介して直角に折り曲げられて下面１２をなし、同様に、下面形状部Ｐ１２に対して背面形状部Ｐ１３が折り曲げ線Ｌ３を介して直角に折り曲げられて背面１３をなし、この背面１３に対して上面形状部Ｐ１４が折り曲げ線Ｌ４を介して直角に折り曲げられて上面１４をなす。そして、正面１１に対して連結部形状部Ｐ１１１が折り曲げ線Ｌ１を介して直角に折り曲げられ、上面１４の内側に重合されて連結部１１１をなす。この上面１４の内側で上面１４と連結部１１１が糊（ホットメルト）を介して連結され、これにより４側面１１−１４が組み立てられる。この状態から、上面１４、下面１２の左右の各フラップ形状部Ｐ１５，Ｐ１６が折り曲げ線Ｌ７，Ｌ８、Ｌ５，Ｌ６を介して直角に折り曲げられて左右の各フラップ１５、１６をなし、正面１１の各内蓋形状部Ｐ２２が折り曲げ線Ｌ９、Ｌ１０を介して直角に折り曲げられて左右の各内蓋２２をなし、背面１３の各外蓋形状部Ｐ２１が折り曲げ線Ｌ１１、Ｌ１２を介して直角に折り曲げられて左右の各外蓋２１をなし、それぞれが順次重合される。そして、左側の外蓋２１の内側で外蓋２１と内蓋２１が糊を介して連結されることにより、左側の開口が封止される。右側の外蓋２１と内蓋２２にあっては、この箱Ｂに包装される物品が収容されてから、外蓋２１の内側で外蓋２１と内蓋２２が糊を介して連結され、この場合、外蓋２１の可動部２１２と内蓋２２の切り取り線内の部分２２０Ｐが糊を介して接着されて外蓋２１と内蓋２２が接合される。しかして紙基材Ｐは直方体形状の箱形に組み立てられる。
【００２０】
包装用箱Ｂはこのようにして構成され、この包装用箱Ｂに錠剤やカプセルなどの医薬品が所定の数ずつ包装されて、調剤薬局などへ供給される。
そして、調剤薬局などでは、この包装用箱Ｂに包装された医薬品を使用するときに、包装用箱Ｂを開封することになる。このとき、（図１、図３順次参照）右側の外蓋２１の先端中央に親指を掛けて軽くつまみ上げるようにして右側の内蓋２２から引き離す。この蓋２の開封とともに、内蓋２２から切り取り線内の部分２２０Ｐが切り離されて内蓋２２に開口部２２１がストッパー２２２とともに形成され、内蓋２２から切り離された切り取り線内の部分２２０Ｐは外蓋２１の可動部２１２に固定されて係止爪２１１及び可動部２１２の補強部となる。
このようにして必要に応じて箱Ｂの蓋２が開けられ、箱Ｂの中から医薬品が必要な数だけ取り出される。そして、箱Ｂの中から医薬品が取り出された後は、箱Ｂは蓋２で再封されて、保管棚などに置き、保管される。この箱Ｂの開口１０を開封後の蓋２で再封するときは、（図３、図１を順次参照）箱Ｂの開口１０を外蓋２１と内蓋２２で閉じるとともに、外蓋２１の可動部２１２を内蓋２２側に向けてプッシュして傾動させる。これにより、外蓋２１の係止爪２１１は内蓋２２のストッパー２２２の外面上で傾動されて撓み変形しながら内蓋２２の開口部２２１内に落とし込まれると同時にこの係止爪２１１の弾性復帰により内蓋２２のストッパー２２２の内面に係合切り替えして、図５に示すように、ストッパー２２２に係止される。なお、この可動部２１２のプッシュ操作の際に、外蓋２１の係止爪２１１の先端縁部２１１Ｅが内蓋２２のストッパー２２２の開口部内縁部２２２Ｅに対して摺接するので、係止爪２１１の先端縁部２１１Ｅとストッパー２２２の開口部内縁部２２２Ｅとの間で「チッ」と係合音（摺接音）が発生し、ユーザーには押しボタンのような操作感覚が得られる。このようにして外蓋２１と内蓋２２がロックされ、この場合、外蓋２１、内蓋２２に開く方向の力（復元力）が生じ、この力が外蓋２１の係止爪２１１と内蓋２２のストッパー２２２との係合方向に作用するため、外蓋２１の係止爪２１１は内蓋２２のストッパー２２２に確実に係止され、外蓋２１と内蓋２２の確実なロック状態が得られる。
【００２１】
以上説明したように、この包装用箱Ｂの再封機能２０は、外蓋２１の一部に略円弧形状に切り込み線２１０を付けて形成され、先端に係止爪２１１を有し、指先のプッシュにより傾動可能な可動部２１２と、内蓋２２に外蓋２１の可動部２１２に対応して形成され、可動部２１２の傾動を許容する開口部２２１、及びこの開口部２２１の縁部に設けられ、係止爪２１１に係合可能なストッパー２２２とを備え、箱Ｂの開口１０の再封に際し、箱Ｂの開口１０を外蓋２１と内蓋２２とにより閉じ、外蓋２１の可動部２１２を内蓋２２側に向けてプッシュし傾動させることにより、係止爪２１１をその撓み変形により内蓋２２のストッパー２２２の外面から内面に係合切り替えしてストッパー２２２に係止し、外蓋２１と内蓋２２とをロックする形式としたので、箱Ｂの開口１０を開封後の蓋２で閉じてこの蓋２をワンプッシュでロックすることができ、箱Ｂの開口１０を開封後の蓋２で簡易に再封することができる。
【００２２】
また、この再封機能２０では、内蓋２２の開口部２２１は内蓋２２の一部に所定の開口形状に切り取り線２２０を付けられて、切り取り線内の部分２２０Ｐを切り離すことにより形成されるようにしたので、箱Ｂの開口１０を蓋２で封止するときは、外蓋２１の可動部２１２と内蓋２２の切り取り線内の部分２２０Ｐが糊を介して接着されて外蓋２１と内蓋２２が接合され、蓋２を開封するときに、内蓋２２に対して外蓋２１を引き離すことにより、内蓋２２から切り取り線内の部分２２０Ｐが切り離されて内蓋２２に開口部２２１が形成され、内蓋２２から切り離された切り取り線内の部分２２０Ｐが外蓋２１の可動部２１２に固定されて係止爪２１１及び可動部２１２の補強部とする構造を採用することができ、このような係止爪２１１及び可動部２１２の補強構造により、蓋２のロック機能を繰り返し使用することができる。また、このような外蓋２１と内蓋２２の接合構造としたことで、箱Ｂの組み立て工程で箱Ｂの一部を箱Ｂの内部や箱Ｂの側面に形成したスリットなどに差し込む必要がないため、一般的な組み立て工程で済み、一般的な組み立て機械設備を使用することができ、コストの増大を抑えることができる。
また、特に製薬メーカーで行われる医薬品を包装用箱に包装する作業ではカートニングマシンと呼ばれる機械が用いられることが多く、中でも、医薬品を４枚フラップタイプの包装用箱に包装するカートニングマシンは機構が比較的シンプルで、しかも高速化を図ることができる。このため、とりわけコストを重視する医薬品に関しては、４枚フラップタイプの箱を採用されることが少なくない。ところが、一般の４枚フラップタイプの包装用箱は、再封ができない欠点があり、調剤薬局などでは医薬品の保管上好ましくなくその改善が求められている。また、一般に再封が可能な箱として代表的なのが、３枚フラップタイプの包装用箱で、蓋となる部分の先に差し込みフラップと呼ばれる片が付いており、蓋を閉じる際に、箱の内側に差し込みフラップを差し込むことで、再封を可能にしている。しかし、３枚フラップタイプの包装用箱に包装できるカートニングマシンは、機構が複雑で、セットの難易度も上がり、４枚フラップタイプのようには高速化が難しいという欠点がある。４枚フラップタイプにしか対応できないカートニングマシンを３枚フラップタイプ用に改造することも可能であるが、その改造には多大なコストを必要とし、また生産スピードも下がってしまうため、改造されることは少ない。
これに対して、この包装用箱Ｂは所謂４枚フラップタイプの箱であるため、医薬品の包装を４枚フラップタイプ用のカートニングマシンを用いて効率的に低コストに行うことができ、実用上では４枚フラップタイプの新たな再封機能２０によりワンプッシュで簡単に再封することができるものとなっている。
【００２３】
さらに、この再封機能２０では、内蓋２２の切り取り線内の部分２２０Ｐに係止爪２１１の傾動を許容する切り込み部２２０Ｓを設けたので、係止爪２１１の補強とともに係止爪２１１の傾動操作をスムーズに行うことができる。
またさらに、この再封機能２０では、外蓋２１の係止爪２１１の先端縁部２１１Ｅが内蓋２２のストッパー２２２の開口部内縁部２２２Ｅに対して摺接可能に形成され、係止爪２１１の先端縁部２１１Ｅとストッパー２２２の開口部内縁部２２２Ｅとの間で摺接音を係合音として発生させるようにしたので、外蓋２１の可動部２１２へのプッシュ操作を押しボタンの操作感覚で行うことができる。
【００２４】
なお、上記実施の形態では、外蓋２１の一部に略円弧形状の切り込み線２１０を付けて先端に係止爪２１１を有する可動部２１２を形成したが、外蓋２１の一部に略Ｕ字形状又は略コ字形状の切り込み線を付けて先端に係止爪を有する可動部を形成してもよく、このようにしても上記実施の形態と同様の作用効果を得ることができる。
また、上記実施の形態では、医薬品を包装するのに使用する包装用箱として例示したが、この包装用箱は、医薬品に限定されることなく、各種の物品を包装する箱にも同様に適用でき、同様の作用効果を奏することができることは勿論である。
【符号の説明】
【００２５】
Ｂ  再封機能付き包装用箱
１  箱本体
１０  開口
１１  正面
１１１  連結部
１２  下面
１３  背面
１４  上面
１５  上フラップ
１６  下フラップ
２  蓋
２０  再封機能
２１  外蓋
２１０  切り込み線
ＶＬ１  仮想線
２１１  係止爪
２１１Ｅ  先端縁部
２１２  可動部
２２  内蓋
２２０  切り取り線
２２０Ｐ  切り取り線内の部分
２２０Ｓ  切り込み部
２２１  開口部
２２２  ストッパー
２２２Ｅ  開口部内縁部
Ｐ  紙基材
Ｐ１１  正面形状部
Ｐ１２  下面形状部
Ｐ１３  背面形状部
Ｐ１４  上面形状部
Ｐ１５  上フラップ形状部
Ｐ１６  下フラップ形状部
Ｌ１−Ｌ１２  折り曲げ線
Ｃ１  破断線
【図１】
0003200697.tif 000003
【図２】
0003200697.tif 000004
【図３】
0003200697.tif 000005
【図４】
0003200697.tif 000006
【図５】
0003200697.tif 000007